(57)【特許請求の範囲】
【請求項１】
地図上における所定の地点や施設を含む所在ポイントの位置情報を記憶する所在データベースと、
前記所在ポイントの特徴をユーザに感得させるのに適した感得情報を前記所在ポイントそれぞれに対応づけて記憶する感得データベースと、
ユーザから前記所在ポイントの検索条件を受け付ける受付手段と、
前記受付手段により受け付けた検索条件を満たす所在ポイントを前記所在データベースから検索する検索手段と、
前記検索手段により検索された所在ポイントに対応する前記感得情報を特定する特定手段と、
前記検索手段により検索された所在ポイントに関する情報として最初に前記特定手段により特定された感得情報のうち、自装置の現在位置から近い所在ポイントに対応する感得情報ほど優先順位の高い感得情報として提供する情報提供手段と、
を備え、
前記感得情報には、少なくとも前記所在ポイントの特徴をユーザに感得させるのに適した画像、前記所在ポイントの説明のためのテキスト及び前記所在ポイントの名称が含まれており、
前記情報提供手段は、前記感得情報に含まれる画像、テキスト及び前記所在ポイントの名称を表示部に表示することにより、該感得情報の提供を行い、
前記所在データベースは、前記所在ポイントに対し、所在ポイントの位置情報に加えカテゴリを記憶して、
前記受付手段は、検索条件としてカテゴリの選択を受け付け、
前記検索手段は、前記所在データベースから前記選択されたカテゴリの所在ポイントを検索しており、
さらに、
前記現在地取得手段が特定した現在地の履歴に基づいて、ユーザの行動範囲を推定する行動推定手段を備え、
前記情報提供手段は、前記特定手段により特定された感得情報のうち、前記行動推定手段により推定された行動範囲内に存在する所在ポイントに対応する感得情報ほど優先順位の高い感得情報として提供する
ことを特徴とするナビゲーション装置。
【請求項２】
自装置の現在位置を示す現在地情報を取得する現在地取得手段をさらに備え、
前記検索手段は、前記現在地取得手段により取得された現在位置から所定範囲内に存在し、且つ前記受付手段により受け付けた検索条件を満たす所在ポイントを前記所在データベースから検索する
ことを特徴とする請求項１に記載のナビゲーション装置。
【請求項３】
自装置の現在位置を示す現在地情報を取得する現在地取得手段をさらに備え、
前記検索手段は前記受付手段により受け付けた検索条件を満たす所在ポイントを、前記現在地取得手段により取得された現在位置から近い順に所定数、前記所在データベースから検索する
ことを特徴とする請求項１に記載のナビゲーション装置。
【請求項４】
前記所在データベースは前記所在ポイントに対し、所在ポイントの位置情報に加えカテゴリを記憶しており、
前記受付手段は、検索条件としてカテゴリの選択を受け付け、
前記検索手段は、前記所在データベースから前記選択されたカテゴリの所在ポイントを検索する
ことを特徴とする請求項１乃至３のいずれか１項に記載のナビゲーション装置。
【請求項５】
前記情報提供手段により提供された感得情報に対応する所在ポイントを目的地として設定する目的地設定手段と、
自装置の現在位置から、前記目的地設定手段により設定された目的地までの経路を算出する経路算出手段と、
前記経路算出手段により算出された経路を案内する経路案内手段と、を備える
ことを特徴とする請求項１乃至４のいずれか１項に記載のナビゲーション装置。
【発明の詳細な説明】
【技術分野】
【０００１】
本発明は、現在地を示す現在地情報に基づいて種々の情報を提供可能なナビゲーション装置に関する。
【背景技術】
【０００２】
従来、ナビゲーション装置では、ユーザが目的地としたい場所を明確に把握していない場合などに、ユーザにカテゴリの限定や地域の限定など所望の場所を検索するための操作を順次行わせたうえで、最終的にユーザが所望する場所を目的地として設定することが行われている。
【０００３】
近年では、このような煩雑な操作負担を軽減するために、例えば、過去の検索および設定履歴を次回以降の検索に利用するなどといった技術も種々提案されている（特許文献１参照）。
【特許文献１】特開２００５−１５６２９０号公報
【発明の開示】
【発明が解決しようとする課題】
【０００４】
しかし、上述した技術においても、現在地周辺に存在する場所の限定まではできるが、その場所の名称や住所など最低限の情報しか提供されていない。そのため、ユーザは、そのような最低限の情報のみから所望の場所であるか否かを判断しなければならず、ナビゲーション装置としての利便性が充分に高いとはいえなかった。
【０００５】
また、このような最低限の情報を複数の場所それぞれについて一覧して提供した後、いずれかの場所を選択する追加的な操作を受けることで、各場所の詳細な情報を提供し、ユーザが所望する場所であるか否かの判断を容易ならしめることも考えられる。ただ、この場合でも、最初に提供されるのは、最低限の情報を一覧するものである。そのため、ユーザが最初に提供される最低限の情報から、所望の場所であるかを判断できなければ、各場所の詳細な情報の提供を受けるための操作を、所望の場所を示す情報の提供を受けるまで繰り返さなければならない。
【０００６】
本願発明は、このような課題を解決するためになされたものであり、その目的は、ユーザに所望の場所であるか否かを判断しやすくすることで、ナビゲーション装置としての利便性を向上させることである。
【課題を解決するための手段】
【０００７】
上記課題を解決するため第１の構成に係るナビゲーション装置では、受付手段が、受け付けたユーザからの所在ポイントの検索条件を満たす所在ポイントを所在データベースに基づいて特定する。次に、特定手段が、検索手段により検索された所在ポイントに対応する感得情報を、所在ポイントの特徴をユーザに感得させるのに適した感得情報が前記所在ポイントそれぞれに対応づけて登録された感得データベースに基づいて特定する。そして、情報提供手段が、特定手段により特定された感得情報を検索された所在ポイントに関する情報として最初にユーザに提供する。
【０００８】
このように構成されたナビゲーション装置によれば、ユーザの操作によって検索された所在ポイントについての感得情報が最初にユーザへ提供される。この感得情報は、所在ポイントの特徴をユーザに感得させるのに適した情報であるため、ユーザは、この感得情報から所在ポイントの特徴を感じ取ったうえで、その所在ポイントが所望する所在ポイントであるか否かを容易に判断することができる。このとき、感得情報が最初に提供されることから、ユーザは、感得情報の提供を受けるためのキッカケとなる操作を行うだけでよく、感得情報の提供を受けるために追加的な別の操作を行う必要がない。これにより、例えば、ユーザが所望する所在ポイントを容易に探し出せるなどナビゲーション装置としての利便性を向上させることができる。
【０００９】
特に、第２の構成においては、現在地の所定範囲内に存在する所在ポイントについての感得情報が提供されることから、極端に遠い所在ポイントについての感得情報が提供されてしまう、といったことが起こりにくい。そのため、極端に遠くて行くことが困難となるような所在ポイントの感得情報，つまりユーザにとって不必要である可能性の高い感得情報が提供されてしまうといったことを防止することができる。
【００１０】
また、上記課題を解決するため第３の構成に係るナビゲーション装置では、検索手段が、現在地取得手段が取得する現在地情報で示される現在地から近い順となる所定数の所在ポイントを、所定の所在地に存在する所在ポイントが該所在地を示す所在地情報に対応づけて登録された所在データベースに基づいて特定する。
【００１１】
このように構成されたナビゲーション装置によれば、現在地から近い順で所定数の所在ポイントについての感得情報がユーザに提供される。この感得情報は、所在ポイントの特徴をユーザに感得させるのに適した情報であるため、ユーザは、この感得情報から所在ポイントの特徴を感じ取ったうえで、その所在ポイントが所望する所在ポイントであるか否かを容易に判断することができる。これにより、例えば、ユーザが所望する所在ポイントを容易に探し出せるなどナビゲーション装置としての利便性を向上させることができる。
【００１２】
特に、この構成においては、現在地から近い順となる所定数の所在ポイントについての感得情報が提供されることから、極端に遠い所在ポイントについての感得情報が提供されてしまう、といったことが起こりにくい。そのため、極端に遠くて行くことが困難となるような所在ポイントの感得情報，つまりユーザにとって不必要である可能性の高い感得情報が提供されてしまうといったことを防止することができる。
【００１３】
なお、上述した各ナビゲーション装置において、所在データベースおよび感得データベースは、本ナビゲーション装置に備えられていてもよいし、本ナビゲーション装置とデータ通信可能な装置に備えられていてもよい。
【００１４】
また、上述した構成において、検索手段は、ナビゲーション装置としての利便性をより向上させるために、ユーザが希望するカテゴリの所在ポイントのみを特定できるように構成することができる。このことを実現するためには、例えば、以下に示す第４の構成を考えることができる。
【００１５】
第４の構成に係るナビゲーション装置においては、受付手段はユーザから所在ポイントのカテゴリの選択を受け付けることができ、所在データベースには、所在ポイントそれぞれに対し、所在地情報およびその所在ポイントのカテゴリが対応づけられている。そして、検索手段は、受付手段により受け付けた選択されたカテゴリに対応する所在ポイントを検索する。
【００１６】
このように構成すれば、検索手段は、ユーザに選択されたカテゴリ，つまりユーザが希望するカテゴリの所在ポイントのみを特定することができる。これにより、ユーザに対し、このユーザが希望するカテゴリの所在ポイントについての感得情報のみを提供できるようになり、ユーザにとっては、より容易に所望する所在ポイントを探し出しやすくなる。
【００１７】
また、上述した情報提供手段は、特定手段により特定された感得情報が１つだけであれば、その感得情報の提供のみを行うこととすればよいが、特定された感得情報が複数存在する場合、どのように感得情報の提供を行うかについて工夫が必要である。例えば、現在地から近い所在ポイントの感得情報ほど優先的に提供するといったことが考えられる。このためには、以下に示す第５の構成のようにするとよい。
【００１８】
第５の構成に係るナビゲーション装置において、情報提供手段は、特定手段により特定された感得情報のうち、その感得情報に対応する所在ポイントの所在地が、現在地取得手段により特定された現在地情報で示される現在地から近い感得情報ほど、優先順位の高い感得情報としてユーザに提供する、ように構成されている。
【００１９】
このように構成すれば、現在地から近い所在ポイントほど、その所在ポイントの感得情報が優先的に提供されることとなるため、ユーザは、現在地から近い所在ポイントを優先して、その所在ポイントが所望する所在ポイントであるか否かを判断することができる。
【００２０】
なお、この構成において、「感得情報に対応する所在ポイントの所在地が、現在地取得手段により特定された現在地情報で示される現在地から近い感得情報」であるか否かは、例えば、所在データベースおよび感得データベースにより特定されるものである。具体的にいうと、「感得情報に対応する所在ポイントの所在地」は、その感得情報に対応する所在ポイントを感得データベースに基づいて特定し、こうして特定した所在ポイントの所在地を所在データベースに基づいて特定することで得られる。こうして得られた所在地と、現在地取得手段により特定された現在地情報で示される現在地との位置関係が近い感得情報ほど優先順位の高い感得情報ということになる。
【００２１】
また、特定された感得情報が複数存在する場合に、どのように感得情報の提供を行うかといった工夫としては、本ナビゲーション装置のユーザにおける行動範囲に存在する所在ポイントの感得情報ほど優先的に提供するといったことも考えられる。このためには、以下に示す第６の構成のようにするとよい。
【００２２】
第６の構成に係るナビゲーション装置は、行動推定手段が、現在地取得手段が現在地を特定した履歴に基づいて、ユーザの行動範囲を推定する。そして、情報提供手段は、特定手段により特定された感得情報のうち、その感得情報に対応する所在ポイントの所在地が、行動推定手段により推定された行動範囲内に存在する感得情報ほど、優先順位の高い感得情報としてユーザに提供する。
【００２３】
このように構成すれば、ユーザの行動範囲内に存在する所在ポイントほど、その所在ポイントの感得情報が優先的に提供されることとなる。そのため、ユーザは、自身の行動範囲内の所在ポイントを優先して、その所在ポイントが所望する所在ポイントであるか否かを判断することができる。
【００２４】
このように、行動範囲内の所在ポイントを優先する構成であれば、ユーザがよく知る場所に存在しており、ユーザにとってアクセス容易な所在ポイントを優先しているといえるため、よりユーザが所望する確率の高い所在ポイントを優先的に提供することが期待できる。
【００２５】
なお、この構成において、行動推定手段によりユーザの行動範囲を推定するための方法としては、例えば、一定期間内に現在地取得手段により取得された現在地情報で示される現在地が所属する地域それぞれ，特定された現在地を中心とする規定のエリアそれぞれで形成される領域などを行動範囲とすることが考えられる。
【００２７】
また、上述した各構成において、情報提供手段により、特定の感得情報を優先順位の高い感得情報としてユーザに提供するためには、例えば、最も優先順位の高い感得情報のみユーザに提供するといった構成が考えられる。
【００２９】
また、上述したナビゲーション装置については、情報提供手段により提供された感得情報に基づいて、この感得情報の所在ポイントを目的地として設定できるように構成してもよい。このためには、例えば、以下に示す第７の構成のようにすることが考えられる。
【００３０】
第７の構成に係るナビゲーション装置においては、目的設定手段が、ユーザの操作を受けて目的地を設定したら、経路算出手段が、交通路に関する情報を示す地図データに基づいて、現在地取得手段により特定された現在地情報で示される現在地から、目的設定手段により設定された目的地へと至る案内経路を算出する。そして、経路案内手段が、経路算出手段により算出された案内経路に従って現在地から目的地までの経路案内を行う。
【００３１】
さらに、情報指定手段によって、情報提供手段により提供される感得情報のうち、いずれかの感得情報をユーザに指定させた後、目的設定手段が、情報指定手段により指定された感得情報に対応する所在ポイントを目的地として設定する。
【００３２】
このように構成すれば、情報提供手段により提供された感得情報の所在ポイントのうち、ユーザの所望する所在ポイントを目的地として設定して、この所在ポイントまでの経路案内を行うことができる。
【００３３】
また、上述した情報提供手段は、感得情報をユーザに提供する手段であるが、ここでの情報の提供方法については、特に限定されない。例えば、感得情報に、少なくとも所在ポイントの特徴をユーザに感得させるのに適した画像が含まれているのであれば、情報提供手段は、第８の構成のように、感得情報に含まれる画像を表示部に表示させることにより、この感得情報のユーザに対する提供を行う、といった提供方法が考えられる。
【００３４】
このように構成すれば、ユーザに対し、画像によって視覚的に所在ポイントの特徴を感得させることができる。
【発明を実施するための最良の形態】
【００３６】
以下に本発明の実施形態を図面と共に説明する。
（１）全体構成
ナビゲーション装置１は、図１に示すように、ナビゲーション装置１自身の現在地（現在位置）を特定する現在地特定部１２、ユーザからの各種指示を入力するための操作スイッチ群１４、ナビゲーション装置１外部との間で情報を入出力する外部情報入出力部２０、地図データや各種の情報を記憶する記憶部２２との間でデータを入出力するデータ入出力部２４、地図表示画面やＴＶ画面等の各種表示を行うための表示部２６、各種のガイド音声等を出力するための音声出力部２８、ユーザからの音声を入力するための音声入力部３０、ＣＤ，ＤＶＤまたはメモリカードなどのメディアとの間でデータを入出力するメディアドライブ３２、各構成要素の動作を制御する制御部３４などを備えている。
【００３７】
現在地特定部１２は、ＧＰＳ(Global Positioning System)用の人工衛星からの送信電波をＧＰＳアンテナで受信してナビゲーション装置１自身の位置，方位，速度等を検出するＧＰＳ受信機１２ａ、車両に加えられる回転運動の大きさを検出するジャイロスコープ１２ｂ、車両の前後方向の速度を車速パルス発生器から発生される車速パルスに基づいて検出する車速センサ１２ｃなどからなる。そして、これらセンサ類は、各々が性質の異なる誤差を有しているため、互いに補完しながら使用されることで、ナビゲーション装置１自身の現在地を示す現在地情報（座標）が取得される。
【００３８】
操作スイッチ群１４は、表示部２６における表示面に沿って設置されたタッチパネル，および，表示部２６の周辺に設けられたキースイッチなどからなる。
外部情報入出力部２０は、ＦＭ放送信号や、道路近傍に配置されたＶＩＣＳ（Vehicle Information and Communication System：道路交通情報システム）サービス用の固定局から送信される電波ビーコン信号および光ビーコン信号を受信し、これら信号で特定される交通情報（渋滞情報，事故・工事の情報，交通規制の情報など）を取得する。
【００３９】
記憶部２２は、道路に関する情報，道路周辺に存在する施設に関する情報などを含む地図データの他、位置検出精度向上のためのマップマッチング用データなどのデータを記憶媒体（本実施形態においてはハードディスク）に記憶している。
【００４０】
制御部３４は、ＣＰＵ，ＲＯＭ，ＲＡＭ，Ｉ／Ｏ及びこれらの構成を接続するバスラインなどからなる周知のマイクロコンピュータを中心に構成されている。そして、ＲＯＭに記憶されたプログラムに基づいて、現在地特定部１２からの各検出信号から座標および進行方向を車両の現在地として算出し、地図表示処理や、経路案内処理などを実行する。この「地図表示処理」とは、データ入出力部２４を介して読み込んだ現在地付近の地図データや、操作スイッチ群１４に対する操作により指示された範囲の地図データを表示部に表示させる処理である。また、「経路案内処理」とは、後述のように、目的地を設定し、現在地から目的地までの最適な経路を自動的に求める経路計算を行って経路案内を行う処理である。
（２）制御部による経路案内処理
以下に、ナビゲーション装置１の制御部３４により行われる経路案内処理の処理手順を図２，図３に基づいて説明する。この経路案内処理は、操作スイッチ群１４により、表示部２６にメニュー画面を表示させるための操作が行われることにより開始される。
【００４１】
この経路案内処理が開始されると、まず、表示部２６にメニュー画面が表示される（ｓ１１０）。ここでは、図４に示すように、走行案内を希望する目的地の設定を、場所のカテゴリ（同図ｉ２参照）で絞り込む，目的地となる場所の住所（同図ｉ３参照）で絞り込む，目的地となる場所の電話番号（同図ｉ４参照）で絞り込む，目的地周辺の郵便番号（同図ｉ５参照）で絞り込む，これら方法を併用（同図ｉ１参照）して絞り込む，事後的に追加したデータ（持ち込みデータ）で絞り込む（同図ｉ６参照）旨のアイコンが配置されたメニュー画面が表示される。こうして、メニュー画面が表示された以降、ユーザは、操作スイッチ群１４を操作することで、いずれかのアイコンを選択する操作などを行うことができる。
【００４２】
ここでいう「持ち込みデータ」とは、あらかじめメディアに記憶されていたデータベースであって、ユーザがメディアドライブ３２を介して記憶部２２にインストールさせたものである。この持ち込みデータには、目的地として設定可能なポイントの名称それぞれに対し、該当するポイントの特徴をユーザに感得させるのに適した感得情報と、該当するポイントのカテゴリと、該当するポイントの所在地を示す所在地情報（座標）とが対応づけて登録されている。なお、本実施形態において、感得情報とは、該当するポイントの特徴を表したイメージデータ（画像）およびテキストデータ（説明文）で構成されたデータである。また、カテゴリとは、観光スポットやレストランなどといった大きな分類（第１階層），および，その分類を更に細分化した場合における小さな分類（第２階層）のうち、いずれか一方または両方を示すものである。
【００４３】
このｓ１１０にてメニュー画面が表示された以降、操作スイッチ群１４により、いずれかのアイコンを選択する操作が行われたら、そうして選択されたアイコンが持ち込みデータで絞り込む旨のアイコンであるか否かがチェックされる（ｓ１２０）。
【００４４】
このｓ１２０で、選択されたアイコンが持ち込みデータで絞り込む旨のアイコン以外のアイコン（図４のｉ１からｉ５）であると判定された場合（ｓ１２０：ＮＯ）、そのアイコンで示される絞り込み方法に基づく目的地の設定がなされる（ｓ１３０）。ここでは、ユーザにスイッチ群１４を操作させることで、経路案内を希望する目的地を絞り込ませ、そうして絞り込んだ特定のポイントを目的地として設定するための周知の処理が行われる。
【００４５】
一方、ｓ１２０で、選択されたアイコンが持ち込みデータで絞り込む旨のアイコンであると判定された場合（ｓ１２０：ＹＥＳ）、絞り込みデータによる絞り込み方法での目的地の設定がなされる（ｓ１４０）。ここでの詳細な処理内容については後述する。
【００４６】
こうして、ｓ１３０またはｓ１４０にて目的地が設定されたら、現在地から目的地までの案内経路が決定される（ｓ１５０）。ここでは、現在地特定部１２により特定された現在地から、ｓ１３０またはｓ１４０にて設定された目的地に至るまでの接続リンクそれぞれで形成される経路を、記憶部２２に記憶されている地図データに基づいて算出する。そして、こうして算出された経路を案内経路として決定し、制御部３４の内蔵メモリに記憶させる。
【００４７】
そして、このｓ１５０により決定された案内経路が表示部２６に表示された後（ｓ１６０）、この案内経路に従った経路案内（走行案内）が開始される（ｓ１７０）。
ここで、上述したｓ１４０において行われる詳細な処理手順を図３に基づいて説明する。
【００４８】
まず、絞り込みに用いる持ち込みデータをユーザに選択させるためのデータ選択画面が、表示部２６に表示される（ｓ２１０）。ここでは、図５（ａ）に示すように、記憶部２２に記憶されている持ち込みデータそれぞれのタイトル（データベースの名称）ｔ１，目的地を絞り込む際の起点となるエリアを選択するためのエリア選択ボタンｂ１などを配置してなるデータ選択画面が表示される。こうして、データ選択画面が表示された後、ユーザは、操作スイッチ群１４を操作することで、いずれかのタイトルを選択する操作，または，エリア選択ボタンｂ１を選択する操作などを行うことができる。
【００４９】
このｓ２１０でデータ選択画面が表示された以降、操作スイッチ群１４による操作が行われるまで待機状態となる（ｓ２２０：ＮＯ）。
その後、操作スイッチ群１４による操作が行われたら（ｓ２２０：ＹＥＳ）、その操作が、いずれかのタイトルを選択する操作，エリア選択ボタンｂ１を選択する操作，のいずれでもないと判定された場合（ｓ２３０：ＮＯ，ｓ２４０：ＮＯ）、その操作内容に応じた処理（その他の処理）が行われた後（ｓ２５０）、ｓ２２０へ戻る。なお、ここで、本経路案内処理を終了するための操作が行われた場合には、ｓ２２０に戻ることなく、本経路案内処理を終了することとする。
【００５０】
また、ｓ２２０において、エリア選択ボタンｂ１を選択する操作が行われたと判定された場合（ｓ２４０：ＹＥＳ）、エリアを設定するための処理が行われた後（ｓ２６０）、ｓ２２０へ戻る。このｓ２６０では、まず、図５（ｂ）に示すように、目的地を絞り込む際の起点となるエリア（以降、「起点エリア」という）をユーザに選択させるためのエリア選択画面が表示部２６に表示される。このエリア選択画面は、起点エリアを、現在地周辺（同図ａ１参照），直前までに表示部２６に表示されていた地図の領域（同図ａ２参照），任意に指定した住所周辺（同図ａ３参照），上述のように経路案内中のルート沿いの領域（同図ａ４参照）のいずれかから選択すべき旨の選択ボタンが配置されている。このエリア選択画面が表示された以降、ユーザは、操作スイッチ群１４を操作することで、いずれかの選択ボタンを選択する操作などを行うことができる。その後、エリア選択画面に基づいて、操作スイッチ群１４により選択ボタンを選択する操作（ａ３の場合には、住所の入力操作まで）が行われたら、そうして選択された選択ボタンで示される領域が起点エリアとして設定された後、エリア選択画面の表示が消去される。なお、この起点エリアは、初期状態において現在地周辺が設定されている。
【００５１】
また、ｓ２２０において、いずれかのタイトルを選択する操作が行われたと判定された場合（ｓ２３０：ＹＥＳ）、こうして選択されたタイトルのデータベースが、大小のカテゴリに分類されているものである（つまり，第１階層，第２階層両方を有している）か否かがチェックされる（ｓ２７０）。
【００５２】
このｓ２７０で、大小のカテゴリに分類されているものであると判定された場合（ｓ２７０：ＹＥＳ）、ユーザにカテゴリを選択させるためのカテゴリ選択画面が、表示部２６に表示される（ｓ２８０）。ここでは、図５（ｃ）に示すように、該当するデータベースにおいて分類されている小さいカテゴリ（カテゴリの名称）ｔ２，エリア選択ボタンｂ２などを配置してなるカテゴリ選択画面が表示される。こうして、カテゴリ選択画面が表示された後、ユーザは、操作スイッチ群１４を操作することで、いずれかのカテゴリを選択する操作，または，エリア選択ボタンｂ２を選択する操作などを行うことができる。
【００５３】
このｓ２８０でカテゴリ選択画面が表示された以降、操作スイッチ群１４による操作が行われるまで待機状態となる（ｓ２９０：ＮＯ）。
その後、操作スイッチ群１４による操作が行われたら（ｓ２９０：ＹＥＳ）、その操作が、いずれかのカテゴリを選択する操作，エリア選択ボタンｂ２を選択する操作，のいずれでもないと判定された場合（ｓ３００：ＮＯ，ｓ３１０：ＮＯ）、その操作内容に応じた処理（その他の処理）が行われた後（ｓ３２０）、ｓ２９０へ戻る。なお、ここで、本経路案内処理を終了するための操作が行われた場合には、ｓ２９０に戻ることなく、本経路案内処理を終了することとする。
【００５４】
また、ｓ２９０において、エリア選択ボタンｂ２を選択する操作が行われたと判定された場合（ｓ３１０：ＹＥＳ）、エリアを設定するための処理が行われた後（ｓ３３０）、ｓ２９０へ戻る。このｓ３３０では、上述したｓ２６０と同様にして起点エリアが設定される。
【００５５】
また、ｓ２９０において、カテゴリを選択する操作が行われたと判定された場合（ｓ３００：ＹＥＳ）、または、上述したｓ２７０において大小のカテゴリに分類されていないものであると判定された場合（ｓ２７０：ＮＯ）、ここまでの選択内容に応じた感得情報が、記憶部２２に記憶されたデータベースから検索される（ｓ３４０）。
【００５６】
ここでは、まず、ｓ２３０で選択されたタイトルのデータベースに登録されているポイントのうち、その所在地がこの時点で設定されている起点エリアを中心に分布しているポイントを特定する。例えば、現在地が起点エリアであれば、現在地特定部１２により特定される現在地が取得され、その他の起点エリアであれば、記憶部２２に記憶された地図データに基づいてその中心位置を示す座標が取得される。その後、所在地が、起点エリアの中心位置から所定範囲（例えば、半径５Ｋｍ）内となっているポイントが特定される。このとき、先に行われたｓ３００にてカテゴリが選択されている場合には、ポイントを特定する際の対象情報が、更にｓ３００にて選択されたカテゴリのポイントに限定される。なお、規定エリアの中心位置から所在地までの距離が近いポイントが規定数（例えば、２００）を上限として特定される構成としてもよい。そして、同データベースに登録されている感得情報のうち、こうして特定されたポイントに対応する感得情報が検索される。
【００５７】
次に、ｓ３４０にて検出されたポイントの数が変数Ｍにセットされる（ｓ３５０）。なお、以降、変数Ｍにセットされた値を「ｍ」とする。
次に、ｓ３４０にて検出された各ポイントそれぞれに対し、この時点において設定されている起点エリアの中心位置からの距離に応じた優先順位が割り当てられる（ｓ３６０）。ここでは、起点エリアの中心位置から近いポイントほど、高い優先順位が割り当てられる。
【００５８】
次に、変数Ｎに「１」がセット（１→Ｎ）される（ｓ３７０）。なお、以降、変数Ｎにセットされた値を「ｎ」とする。
次に、ｓ３４０にて検出され、ｓ３６０にて優先順位の割り当てられたポイントのうち、優先順位が第ｎ番目のポイントにつき、このポイントに対応づけて上記データベースに登録されている感得情報に基づく情報提供画面が、表示部２６に表示される（ｓ３８０）。ここでは、図６に示すように、該当する感得情報を構成しているイメージデータおよびテキストデータだけでなく、優先順位が前または次の感得情報をチェックするための前へボタンｂ２および次へボタンｂ３、この感得情報のポイントを目的地として設定するための設定ボタンｂ４などが配置された情報提供画面が表示される。この情報提供画面が表示された後、ユーザは、操作スイッチ群１４によって、前へボタンｂ２，次へボタンｂ３または設定ボタンｂ４を選択する操作などを行うことができる。
【００５９】
このｓ３８０にて情報提供画面が表示された以降、操作スイッチ群１４による操作が行われるまで待機状態となる（ｓ３９０：ＮＯ）。
このｓ３９０で、操作スイッチ群１４による操作が行われたら（ｓ３９０：ＹＥＳ）、その操作が、上述したいずれのボタンを選択する操作でもないと判定された場合（ｓ４００：ＮＯ，ｓ４１０：ＮＯ，ｓ４２０：ＮＯ）、その操作内容に応じた処理（その他の処理）が行われた後（ｓ４３０）、ｓ３９０へ戻る。ここでは、例えば、操作スイッチ群１４による操作を受けて、第ｎ番目の感得情報に対応するポイント周辺の地図表示を行う処理などが行われる。なお、ここで、本経路案内処理を終了するための操作が行われた場合には、ｓ３９０に戻ることなく、本経路案内処理を終了することとする。
【００６０】
また、ｓ３９０において、操作スイッチ群１４により行われた操作が、設定ボタンｂ４を選択する操作であると判定された場合（ｓ４００：ＹＥＳ）、第ｎ番目の感得情報に対応するポイントの所在地が目的地として設定された後（ｓ４４０）、上述したｓ１５０へ移行して案内経路の表示が行われた後、経路案内が開始される。
【００６１】
また、ｓ３９０において、操作スイッチ群１４により行われた操作が、次へボタンｂ３を選択する操作であると判定された場合（ｓ４１０：ＹＥＳ）、変数Ｎに「１」が加算（ｎ＋１→Ｎ）された後（ｓ４５０）、この変数Ｎが変数Ｍよりも大きな値となっているか否かがチェックされる（ｓ４６０）。
【００６２】
このｓ４６０で、変数Ｎが変数Ｍよりも大きな値となっていなければ（ｓ４６０：ＮＯ）、ｓ３８０へ戻り、第ｎ番目のポイント（つまり次のポイント）に基づく情報提供画面の表示が行われる。
【００６３】
一方、ｓ４６０で、変数Ｎが変数Ｍよりも大きな値となっていれば（ｓ４６０：ＹＥＳ）、ｓ３７０へ戻り、変数Ｎに「１」がセットされた後で第ｎ番目のポイントに基づく情報提供画面の表示が行われる。ここで、変数Ｍはｓ３４０にて検出された感得情報の数であるため、ｓ４５０にて「１」を加算した後の変数Ｎが、変数Ｍよりも大きな値になるということは、優先順位が低い感得情報の順による情報提供画面の表示が終了していることを示している。そのため、このように、変数Ｎが変数Ｍよりも大きな値となっている場合には、ｓ３７０で変数Ｎを「１」にリセットすることで、優先順位第１番目の感得情報に基づく情報提供画面の表示が行われるようにしている。
【００６４】
また、上述したｓ３９０において、操作スイッチ群１４により行われた操作が、前へボタンｂ２を選択する操作であると判定された場合（ｓ４２０：ＹＥＳ）、変数Ｎが「１」より大きな値（ｎ＞１，つまり２以上）であるか否かがチェックされる（ｓ４７０）。
【００６５】
このｓ４７０で、変数Ｎが「１」より大きな値であると判定された場合（ｓ４７０：ＹＥＳ）、変数Ｎから「１」が減算（ｎ−１→Ｎ）された後（ｓ４８０）、ｓ３８０へ戻り、第ｎ番目のポイント（つまり前のポイント）に基づく情報提供画面の表示が行われる。
【００６６】
その一方、変数Ｎが「１」より大きな値ではないと判定された場合（ｓ４７０：ＮＯ）、変数Ｎに「ｍ」がセット（ｍ→Ｎ）された後（ｓ４９０）、ｓ３８０へ戻り、第ｎ番目のポイントに基づく情報提供画面の表示が行われる。ここで、変数Ｎが「１」より大きな値ではないということは、その時点で表示されている情報提供画面が第１番目の感得情報に基づくものということになる。そのため、このように、変数Ｎが「１」より大きな値ではない場合には、それよりも優先順位の高い感得情報がない状態ということになる。よって、ここでは、ｓ４９０で変数Ｎに「ｍ」をセットすることで、優先順位の最も低い感得情報に基づく情報提供画面の表示が行われるようにしている。
（３）作用，効果
このように構成されたナビゲーション装置１によれば、起点エリアが現在地として設定されている場合、カテゴリを選択する操作が行われたら（図３のｓ３００）、図３のｓ３８０で現在地を中心に存在するポイントについての感得情報が最初にユーザへ提供される。この感得情報は、ポイントそれぞれの特徴をユーザに感得させるのに適したテキストデータおよびイメージデータが含まれた情報である。そのため、ユーザは、現在地を中心に存在するポイントが所望するポイントであるか否かを容易に判断することができる。それは、提供された感得情報からポイントの特徴を、テキストデータで示される説明文から感じ取ることはもちろん、イメージデータで示される画像から視覚的にも感じ取ることができるからである。このとき、感得情報が最初に提供されることから、ユーザは、感得情報の提供を受けるためのキッカケとなる操作（カテゴリを選択するまでの操作）を行うだけでよく、感得情報の提供を受けるために追加的な別の操作を行う必要がない。これにより、ユーザが所望するポイントを容易に探し出せるなどナビゲーション装置としての利便性を向上させることができる。
【００６７】
特に、この構成においては、現在地を中心に存在するポイントについての感得情報が提供されることから、極端に遠いポイントについての感得情報が提供されてしまう、といったことが起こりにくい。そのため、極端に遠くて行くことが困難となるようなポイントの感得情報，つまりユーザにとって不必要である可能性の高い感得情報が提供されてしまうといったことを防止することができる。
【００６８】
また、上実施形態では、持ち込みデータが大小のカテゴリに分類されている場合には、感得情報を検索する際の検索対象を、ユーザが選択したカテゴリに分類されたポイントの感得情報のみとすることができる（図３のｓ３００→ｓ３４０）。これにより、ユーザに対し、このユーザが希望するカテゴリのポイントについての感得情報のみを提供できるようになる。そのため、ユーザにとっては、より容易に所望するポイントを探し出しやすくなる結果、ナビゲーション装置１としての利便性をより向上させることができる。
【００６９】
また、上記実施形態においては、優先順位の高い感得情報に基づく情報提供画面を最初に表示することにより（図３のｓ３７０→ｓ３８０）、そのような優先順位の高い感得情報の提供を優先的に行っている。そのため、起点エリアが現在地として設定されている場合であれば、現在地から近いポイントであるほど、そのポイントの感得情報が優先的に提供されることとなる。よって、ユーザは、現在地から近いポイントを優先して、そのポイントが所望するポイントであるか否かを判断することができる。
【００７０】
また、上記実施形態では、情報提供画面が表示された以降（図３のｓ３８０〜）、ユーザが操作スイッチ群１４により「次へボタンｂ３」を選択する操作を行う毎に（同図ｓ４１０）、先だって検索した感得情報それぞれを優先順位の高い順でユーザに提供している（同図ｓ４１０〜ｓ４６０→ｓ３８０）。そのため、ユーザは、検出された感得情報それぞれを順番に確認することができる。
【００７１】
また、上記実施形態においては、情報提供画面として提供された感得情報に対応するポイントを、経路案内の目的地として設定することができる（図３のｓ４４０）。このように、提供された感得情報に対応するポイントのうち、ユーザの所望するポイントを目的地として設定し、このポイントまでの経路案内を行うことができる。
（４）その他の実施形態
この実施形態においては、図３のｓ３６０で、起点エリアの中心位置からの距離だけでなく、ナビゲーション装置１のユーザにおける行動範囲に存在するポイントであるほど、高い優先順位が割り当てられるように構成されている点で上述の実施形態と相違する。
【００７２】
具体的には、図３におけるｓ３５０の終えた後、図７に示すように、ナビゲーション装置１のユーザにおける行動範囲を推定した後で（ｓ３５２）、ｓ３６０へ移行するように構成する。この実施形態においては、現在地特定部１２により特定される現在地が過去一定期間（例えば、１年）にわたって履歴として記憶部２２に記憶されるように構成されている。このｓ３５２では、そうして記憶部２２に履歴として記憶されている各現在地の所属する地域（例えば、市，区，町，村など）それぞれが特定され、こうして特定された単位領域からなる領域が上記行動範囲として推定される。なお、行動範囲を推定する構成としては、記憶部２２に履歴として記憶されている各現在地を中心とする規定のエリア（例えば、現在地を中心とする半径Ｘｍのエリア；Ｘは任意の値）それぞれが特定され、こうして特定された単位エリアからなる領域が上記行動範囲として推定される、といった構成を考えることもできる。
【００７３】
そして、この後に行われるｓ３６０では、ｓ３４０にて検出された各ポイントそれぞれに対し、この時点において設定されている起点エリアの中心位置から近く、かつ、ナビゲーション装置１のユーザにおける行動範囲内に存在するポイントであるほど、高い優先順位が割り当てられる。
【００７４】
このように構成すれば、現在地から近く、かつ、ユーザの行動範囲内に存在する所在ポイントほど、その所在ポイントの感得情報が優先的に提供されることとなる。そのため、ユーザは、現在地から近く、かつ、自身の行動範囲内の所在ポイントを優先して、そのポイントが所望するポイントであるか否かを判断することができる。
【００７５】
このように、行動範囲内のポイントを優先する構成であれば、ユーザがよく知る場所に存在しており、ユーザにとってアクセス容易なポイントを優先しているといえるため、よりユーザが所望する確率の高いポイントを優先的に提供することが期待できる。
（５）変形例
以上、本発明の実施の形態について説明したが、本発明は、上記実施形態に何ら限定されることはなく、本発明の技術的範囲に属する限り種々の形態をとり得ることはいうまでもない。
【００７６】
例えば、上記実施形態においては、感得情報が、イメージデータおよびテキストデータで構成された情報となっている構成を例示した。しかし、感得情報は、これら以外のデータが含まれた情報としてもよい。例えば、ポイントの特徴をユーザに感得させるのに適した音声を示す音声データが含まれる情報とすることが考えられる。
【００７７】
また、上記実施形態における持ち込みデータについては、記憶部２２にインストールされた態様ではなく、ナビゲーション装置１とデータ通信可能な他の装置にインストールしておき、この装置から取得されるように構成してもよい。また、持ち込みデータについては、記憶部２２にインストールされた態様ではなく、メディアドライブ３２との間でデータを入出力可能なメディアに記憶させておき、このメディアからメディアドライブ３２を介して取得される構成としてもよい。
【００７８】
また、上述した実施形態においては、持ち込みデータが、それ自身でカテゴリによる分類がなされている場合を例示した。しかし、持ち込みデータそれぞれを、ある特定のカテゴリに分類されるポイントについての情報のみが登録されたものとすることにより、物理的にカテゴリ毎のデータベースが用意されているようにしてもよい。
【００７９】
また、上記実施形態においては、優先順位の高い感得情報に基づく情報提供画面を最初に表示することにより（図３のｓ３７０→ｓ３８０）、そのような優先順位の高い感得情報の提供を優先的に行うように構成されたものを例示した。しかし、優先順位の高い感得情報を優先的に提供するための構成としては、この構成に限られない。例えば、複数の感得情報に基づく情報提供画面それぞれを表示部２６に同時に表示させられる場合であれば、そのうち感得情報の優先順位が高いものほど、大きく表示する，派手な装飾や演出をつけるなどといった優先順位が高いことが明確になるような態様で提供されるように構成すればよい。
【００８０】
また、上記実施形態においては、持ち込みデータが外部から記憶部２２にインストールされたデータベースである場合を例示した。しかし、この持ち込みデータについては、ナビゲーション装置１の使用経過に応じて生成される，または，ユーザが任意に生成することができるように構成してもよい。例えば、図３のｓ３８０において情報提供画面が表示された際、ユーザが、その情報提供画面の感得情報を「お気に入り」の感得情報として独立したデータベースに登録できるようにし、同図ｓ２１０において選択可能なタイトル（図５（ａ）の「お気に入り」参照）として表示されるように構成すればよい。
（６）本発明との対応関係
以上説明した実施形態において、図２のｓ１３０，図３のｓ４４０は本発明における目的設定手段であり、図２のｓ１５０は本発明における経路算出手段であり、同図ｓ１７０は本発明における経路案内手段である。
【００８１】
また、図３のｓ３４０は本発明における現在地取得手段，ポイント特定手段および感得特定手段であり、同図ｓ３８０は本発明における情報提供手段であり、同図ｓ２８０〜ｓ３００は本発明におけるカテゴリ選択手段であり、同図ｓ３８０〜ｓ４２０は本発明における情報指定手段である。
【００８２】
また、図７のｓ３５２は本発明における行動推定手段である。
【図面の簡単な説明】
【００８３】
【図１】ナビゲーション装置の構成を示すブロック図
【図２】経路決定処理を示すフローチャート（１／２）
【図３】経路決定処理を示すフローチャート（２／２）
【図４】メニュー画面を示す図
【図５】データ選択画面（ａ），エリア選択画面（ｂ），カテゴリ選択画面（ｃ）を示す図
【図６】情報提供画面を示す図
【図７】他の実施形態における経路決定処理を示すフローチャート
【符号の説明】
【００８４】
１…ナビゲーション装置、１２…現在地特定部、１２ａ…ＧＰＳ受信機、１２ｂ…ジャイロスコープ、１２ｃ…車速センサ、１４…操作スイッチ群、２０…外部情報入出力部、２２…記憶部、２４…データ入出力部、２６…表示部、２８…音声出力部、３０…音声入力部、３２…メディアドライブ、３４…制御部。
【図１】
0004682732.tif 000002
【図２】
0004682732.tif 000003
【図３】
0004682732.tif 000004
【図４】
0004682732.tif 000005
【図６】
0004682732.tif 000006
【図７】
0004682732.tif 000007
【図５】
0004682732.tif 000008